【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
扉の開錠により人物が入室可能となる入室監視システムであって、撮影手段と、入室前の人物の認証をする認証手段とを有する入室監視システムにおける開錠指示装置であって、
前記認証手段による人物の認証に成功したか、及び、前記撮影手段の撮影方向が前記扉の方向へ向いているかを判定する判定手段と、
前記認証手段による人物の認証に成功し、前記撮影手段の撮影方向が前記扉の方向へ向いていると判定されると、前記扉の開錠指示をする開錠指示手段と
を有することを特徴とする開錠指示装置。
【請求項２】
前記入室監視システムは、前記撮影手段の撮影方向を制御する方向制御手段を有し、
前記開錠指示手段は、前記人物の認証に成功し、前記撮影手段の撮影方向が前記方向制御手段により前記扉の方向へ向けられたと前記判定手段に判定されると、前記扉の開錠指示をすることを特徴とする請求項１に記載の開錠指示装置。
【請求項３】
前記判定手段は、前記認証に成功した人物数と、前記扉の方向へ向いている前記撮影手段の数とが対応するかを更に判定し、
前記開錠指示手段は、前記認証に成功した人物数と、前記扉の方向へ向いている前記撮影手段の数とが対応すると前記判定手段により判定されると、前記扉の開錠指示をすることを特徴とする請求項１又は２に記載の開錠指示装置。
【請求項４】
前記方向制御手段は、入室済みの人物を撮影中の複数の撮影手段のうちの一部の撮影手段の撮影方向を前記扉の方向へ向けるために制御することを特徴とする請求項２に記載の開錠指示装置。
【請求項５】
前記複数の撮影手段の設置位置に基づいて、前記扉の方向へ撮影方向が向けられる撮影手段が決定されることを特徴とする請求項４に記載の開錠指示装置。
【請求項６】
前記入室監視システムは、前記撮影手段の自動焦点制御をする焦点制御手段を有し、
前記判定手段は、前記扉の方向に撮影方向が向いている前記撮影手段の焦点が、前記焦点制御手段により、前記扉の撮影のための焦点に制御されたかを更に判定し、
前記開錠指示手段は、前記扉の方向に撮影方向が向いている前記撮影手段の焦点が、前記焦点制御手段により、前記扉の撮影のための焦点に制御されたと前記判定手段により判定されると、前記扉の開錠指示をすることを特徴とする請求項１乃至５のいずれか１項に記載の開錠指示装置。
【請求項７】
前記入室監視システムは、前記撮影手段の自動露出制御をする露出制御手段を有し、
前記判定手段は、前記扉の方向に撮影方向が向いている前記撮影手段の露出が、前記露出制御手段により、前記扉の撮影のための露出に制御されたかを更に判定し、
前記開錠指示手段は、前記扉の方向に撮影方向が向いている前記撮影手段の露出が、前記露出制御手段により、前記扉の撮影のための露出に制御されたと前記判定手段により判定されると、前記扉の開錠指示をすることを特徴とする請求項１乃至６のいずれか１項に記載の開錠指示装置。
【請求項８】
扉の開錠により人物が入室可能となる入室監視システムであって、入室前の人物の認証をする認証手段と、前記入室した人物を撮影する撮影手段とを有する入室監視システムにおける開錠指示装置の制御方法であって、
前記認証手段による人物の認証に成功したか、及び、前記撮影手段の撮影方向が前記扉の方向へ向いているかを判定する判定工程と、
前記認証手段による人物の認証に成功し、前記撮影手段の撮影方向が前記扉の方向へ向いていると判定されると、前記扉の開錠指示をする開錠指示工程と
を有することを特徴とする制御方法。
【請求項９】
扉の開錠により人物が入室可能となる入室監視システムであって、入室前の人物の認証をする認証手段と、前記入室した人物を撮影する撮影手段とを有する入室監視システムにおけるコンピュータに、
前記認証手段による人物の認証に成功したか、及び、前記撮影手段の撮影方向が前記扉の方向へ向いているかを判定する判定手順と、
前記認証手段による人物の認証に成功し、前記撮影手段の撮影方向が前記扉の方向へ向いていると判定されると、前記扉の開錠指示をする開錠指示手順と
を実行させることを特徴とするプログラム。
【請求項１０】
扉の開錠により人物が入室可能となる入室監視システムであって、
撮影手段と、
入室前の人物の認証をする認証手段と、
前記認証手段による人物の認証に成功したか、及び、前記撮影手段の撮影方向が前記扉の方向へ向いているかを判定する判定手段と、
前記認証手段による人物の認証に成功し、前記撮影手段の撮影方向が前記扉の方向へ向いていると前記判定手段により判定されると、前記扉の開錠指示をする開錠指示手段と
を有することを特徴とする入室監視システム。
【手続補正２】
【補正対象書類名】明細書
【補正対象項目名】発明の名称
【補正方法】変更
【補正の内容】
【発明の名称】入室監視システム、開錠指示装置及びその制御方法、並びに、プログラム
【手続補正３】
【補正対象書類名】明細書
【補正対象項目名】０００１
【補正方法】変更
【補正の内容】
【０００１】
本発明は、扉の開錠により人物が入室可能となる入室監視システム、当該入室監視システムに含まれる開錠指示装置及びその制御方法、並びに、入室監視システムによる処理をコンピュータに実行させるためのプログラムに関するものである。
【手続補正４】
【補正対象書類名】明細書
【補正対象項目名】００１０
【補正方法】変更
【補正の内容】
【００１０】
本発明の開錠指示装置は、扉の開錠により人物が入室可能となる入室監視システムであって、撮影手段と、入室前の人物の認証をする認証手段とを有する入室監視システムにおける開錠指示装置であって、前記認証手段による人物の認証に成功したか、及び、前記撮影手段の撮影方向が前記扉の方向へ向いているかを判定する判定手段と、前記認証手段による人物の認証に成功し、前記撮影手段の撮影方向が前記扉の方向へ向いていると判定されると、前記扉の開錠指示をする開錠指示手段とを有する。
本発明の開錠指示装置の制御方法は、扉の開錠により人物が入室可能となる入室監視システムであって、入室前の人物の認証をする認証手段と、前記入室した人物を撮影する撮影手段とを有する入室監視システムにおける開錠指示装置の制御方法であって、前記認証手段による人物の認証に成功したか、及び、前記撮影手段の撮影方向が前記扉の方向へ向いているかを判定する判定工程と、前記認証手段による人物の認証に成功し、前記撮影手段の撮影方向が前記扉の方向へ向いていると判定されると、前記扉の開錠指示をする開錠指示工程とを有する。
本発明のプログラムは、扉の開錠により人物が入室可能となる入室監視システムであって、入室前の人物の認証をする認証手段と、前記入室した人物を撮影する撮影手段とを有する入室監視システムにおけるコンピュータに、前記認証手段による人物の認証に成功したか、及び、前記撮影手段の撮影方向が前記扉の方向へ向いているかを判定する判定手順と、前記認証手段による人物の認証に成功し、前記撮影手段の撮影方向が前記扉の方向へ向いていると判定されると、前記扉の開錠指示をする開錠指示手順とを実行させる。
本発明の入室監視システムは、扉の開錠により人物が入室可能となる入室監視システムであって、撮影手段と、入室前の人物の認証をする認証手段と、前記認証手段による人物の認証に成功したか、及び、前記撮影手段の撮影方向が前記扉の方向へ向いているかを判定する判定手段と、前記認証手段による人物の認証に成功し、前記撮影手段の撮影方向が前記扉の方向へ向いていると前記判定手段により判定されると、前記扉の開錠指示をする開錠指示手段とを有する。